(57)【要約】【課題】多軸型コンバインドサイクル発電プラントにおいて、ガスタービンの起動制御または停止制御を簡易化する。【解決手段】本発明の実施形態に係る制御装置は、多軸型コンバサイドサイクル発電プラント内の複数のガスタービンを制御する複数のガスタービン制御装置に対して、制御対象の前記ガスタービンの起動または停止を指令する制御装置である。入力部は、各ガスタービンの起動順序または停止順序、及び起動操作後または停止操作後に運転状態にあるガスタービンの目標個数を受け付ける。制御部は、前記入力部が受け付けた前記起動順序または前記停止順序及び前記起動操作後または前記停止操作後に前記運転状態にあるガスタービンの目標個数に応じて、前記ガスタービンの運転を制御する運転制御信号を前記ガスタービン毎に生成する。制御部は、対応する前記運転制御信号に応じた制御内容で前記ガスタービンの起動または停止を実行するガスタービン制御装置へ、前記対応する運転制御信号を前記出力部から出力させる。【選択図】図１
2015227633.tif 000002
【特許請求の範囲】
【請求項１】
多軸型コンバサイドサイクル発電プラント内の複数のガスタービンを制御する複数のガスタービン制御装置に対して、制御対象の前記ガスタービンの起動または停止を指令する制御装置であって、
操作者の指示を受け付ける入力部と、
前記操作者の指示に応じて、前記ガスタービンの起動または停止を制御するための処理を実行する制御部と、
前記複数のガスタービン制御装置と接続された出力部と、
を備え、
前記入力部は、各ガスタービンの起動順序または停止順序と、起動操作後または停止操作後に運転状態にあるガスタービンの目標個数とを受け付け、
前記制御部は、前記入力部が受け付けた前記起動順序または前記停止順序と、前記起動操作後または前記停止操作後に前記運転状態にあるガスタービンの目標個数とに応じて、前記ガスタービンの運転を制御する運転制御信号を前記ガスタービン毎に生成し、
前記制御部は、対応する前記運転制御信号に応じた制御内容で前記ガスタービンの起動または停止を実行するガスタービン制御装置へ、前記対応する運転制御信号を前記出力部から出力させ、
前記運転制御信号は、起動または停止の対象となるガスタービンと、前記起動または停止の対象となるガスタービンの起動順序または停止順序と、前記起動操作後または前記停止操作後に運転状態にあるガスタービンの目標個数とを規定する
制御装置。
【請求項２】
前記制御部は、前記入力部が制御対象のガスタービンの起動または停止の指示を受け付けた場合、前記特定のガスタービンを制御するガスタービン制御装置に対して、起動または停止の指令を前記出力部から出力させる
請求項１に記載の制御装置。
【請求項３】
前記操作者に対して情報を提示する情報提示部を更に備え、
前記入力部は、前記多軸型コンバサイドサイクル発電プラントから系統への送電を開始する並列目標時刻、または前記多軸型コンバサイドサイクル発電プラントから前記系統への送電を停止する停止完了目標時刻を受け付け、
前記制御部は、前記入力部が受け付けた並列目標時刻または停止完了目標時刻を用いて、前記複数のガスタービンのうち少なくとも一つのガスタービンの起動または停止のスケジュールを決定し、前記決定したスケジュールを参照して、前記複数のガスタービンのうち起動または停止対象のガスタービンの起動開始時刻または停止開始時刻より規定時間だけ前の時刻になった場合、前記起動または停止対象のガスタービンの起動または停止を促す情報を前記情報提示部に提示させる
請求項１または２に記載の制御装置。
【請求項４】
多軸型コンバサイドサイクル発電プラント内の複数のガスタービンを制御する複数のガスタービン制御装置を統括して制御する統括制御装置に対して、制御対象の前記ガスタービンの起動または停止を指令する制御装置であって、
操作者の指示を受け付ける入力部と、
前記操作者の指示に応じて、前記ガスタービンの起動または停止を制御するための処理を実行する制御部と、
前記統括制御装置と接続された出力部と、
を備え、
前記入力部は、起動順序または停止順序と、起動操作後または停止操作後に運転状態にあるガスタービンの目標個数とを受け付け、
前記制御部は、前記入力部が受け付けた起動順序または停止順序と、前記起動操作後または前記停止操作後に前記運転状態にあるガスタービンの目標個数とに応じて、運転制御信号を前記ガスタービン毎に生成し、
前記制御部は、制御対象となるガスタービンを制御するガスタービン制御装置へ対応する前記運転制御信号を出力する前記統括制御装置に対して、前記運転制御信号を前記出力部から出力させ、
前記ガスタービン制御装置は、前記統括制御装置から受信した運転制御信号に応じた制御内容で前記ガスタービンの起動または停止を実行し、
前記運転制御信号は、起動または停止の対象となるガスタービンと、前記起動または停止の対象となるガスタービンの起動順序または停止順序と、前記起動操作後または前記停止操作後に前記運転状態にあるガスタービンの目標個数とを規定する
制御装置。
【請求項５】
前記制御部は、前記入力部が制御対象のガスタービンの起動または停止の指示を受け付けた場合、前記制御対象のガスタービンに対する起動または停止の指令を、前記指令を前記制御対象のガスタービンを制御する対象ガスタービン制御装置へ出力する前記統括制御装置へ出力し、
前記対象ガスタービン制御装置は、前記統括制御装置から受信した指令に基づいて、前記制御対象のガスタービンの起動または停止を実行する
請求項４に記載の制御装置。
【請求項６】
多軸型コンバサイドサイクル発電プラント内の複数のガスタービンを制御する複数のガスタービン制御装置に対して、制御対象の前記ガスタービンの起動または停止を指令する制御方法であって、
入力部は、各ガスタービンの起動順序または停止順序と、起動操作後または停止操作後に運転状態にあるガスタービンの目標個数とを受け付け、
制御部は、前記入力部が受け付けた前記起動順序または前記停止順序と、前記起動操作後または前記停止操作後に前記運転状態にあるガスタービンの目標個数とに応じて、運転制御信号を前記ガスタービン毎に生成し、
前記制御部は、対応する前記運転制御信号に応じた制御内容で前記ガスタービンの起動または停止を実行するガスタービン制御装置へ、前記対応する運転制御信号を前記出力部から出力させ、
前記運転制御信号は、起動または停止の対象となるガスタービンと、前記起動または停止の対象となるガスタービンの起動順序または停止順序と、運転状態にするガスタービンの目標個数とを規定する
制御方法。
【請求項７】
多軸型コンバサイドサイクル発電プラント内の複数のガスタービンを制御する複数のガスタービン制御装置を統括して制御する統括制御装置に対して、制御対象のガスタービンの起動または停止を指令する制御方法であって、
入力部は、起動順序または停止順序と、前記起動操作後または前記停止操作後に前記運転状態にあるガスタービンの目標個数とを受け付け、
制御部は、前記入力部が受け付けた起動順序または停止順序と、運転状態にするガスタービンの目標個数とに応じて、運転制御信号を前記ガスタービン毎に生成し、
前記制御部は、制御対象となるガスタービンを制御するガスタービン制御装置へ対応する前記運転制御信号を出力する前記統括制御装置に対して、前記運転制御信号を前記出力部から出力させ、
前記ガスタービン制御装置は、前記統括制御装置から受信した運転制御信号に応じた制御内容で前記ガスタービンの起動または停止を実行し、
前記運転制御信号は、起動または停止の対象となるガスタービンと、前記起動または停止の対象となるガスタービンの起動順序または停止順序と、前記起動操作後または前記停止操作後に前記運転状態にあるガスタービンの目標個数とを規定する
制御方法。
【請求項８】
多軸型コンバサイドサイクル発電プラント内の複数のガスタービンを制御する複数のガスタービン制御装置に対して、制御対象のガスタービンの起動または停止を指令し、操作者の指示を受け付ける入力部と、前記複数のガスタービン制御装置と接続された出力部と、を備える制御装置のコンピュータを、
前記操作者の指示に応じて、前記ガスタービンの起動または停止を制御するための処理を実行する制御部として機能させるためのプログラムであって、
前記入力部は、各ガスタービンの起動順序または停止順序と、前記起動操作後または前記停止操作後に前記運転状態にあるガスタービンの目標個数とを受け付け、
前記制御部は、前記入力部が受け付けた前記起動順序または前記停止順序と、前記運転状態にするガスタービンの目標個数とに応じて、運転制御信号を前記ガスタービン毎に生成し、
前記制御部は、対応する前記運転制御信号に応じた制御内容で前記ガスタービンの起動または停止を実行するガスタービン制御装置へ、前記対応する運転制御信号を前記出力部から出力させ、
前記運転制御信号は、起動または停止の対象となるガスタービンと、前記起動または停止の対象となるガスタービンの起動順序または停止順序と、前記起動操作後または前記停止操作後に前記運転状態にあるガスタービンの目標個数とを規定する
プログラム。
【請求項９】
多軸型コンバサイドサイクル発電プラント内の複数のガスタービンを制御する複数のガスタービン制御装置を統括して制御する統括制御装置に対して、制御対象の前記ガスタービンの起動または停止を指令し、操作者の指示を受け付ける入力部と、前記統括制御装置と接続された出力部と、を備える制御装置のコンピュータを、
前記操作者の指示に応じて、前記ガスタービンの起動または停止を制御するための処理を実行する制御部として機能させるためのプログラムであって、
前記入力部は、起動順序または停止順序と、起動操作後または停止操作後に運転状態にあるガスタービンの目標個数とを受け付け、
前記制御部は、前記入力部が受け付けた起動順序または停止順序と、前記起動操作後または前記停止操作後に前記運転状態にあるガスタービンの目標個数とに応じて、運転制御信号を前記ガスタービン毎に生成し、
前記制御部は、制御対象となるガスタービンを制御するガスタービン制御装置へ対応する前記運転制御信号を出力する前記統括制御装置に対して、前記運転制御信号を前記出力部から出力させ、
前記ガスタービン制御装置は、前記統括制御装置から受信した運転制御信号に応じた制御内容で前記ガスタービンの起動または停止を実行し、
前記運転制御信号は、起動または停止の対象となるガスタービンと、前記起動または停止の対象となるガスタービンの起動順序または停止順序と、前記起動操作後または前記停止操作後に前記運転状態にあるガスタービンの目標個数とを規定する
プログラム。
【請求項１０】
多軸型コンバサイドサイクル発電プラント内のガスタービンを制御するガスタービン制御装置であって、
当該ガスタービン制御装置が制御するガスタービンの起動または停止を指令する制御装置と接続された入力部と、
前記ガスタービンの起動または停止を実行する制御部と、
を備え、
前記入力部は、起動または停止の対象となるガスタービンと、前記起動または停止の対象となるガスタービンの起動順序または停止順序と、前記起動操作後または前記停止操作後に前記運転状態にあるガスタービンの目標個数とを規定する運転制御信号を前記制御装置から受信し、
前記制御部は、前記入力部が前記ガスタービンの起動または停止の指令を受信した場合、前記入力部が受信した運転制御信号に応じた制御内容で前記ガスタービンの起動または停止を実行する
ガスタービン制御装置。
【請求項１１】
多軸型コンバサイドサイクル発電プラント内の複数のガスタービンを制御する複数のガスタービン制御装置であって、
前記複数のガスタービン制御装置を統括して制御する統括制御装置と接続された入力部と、
前記ガスタービンの起動または停止を実行する制御部と、
を備え、
前記制御部は、前記入力部が前記ガスタービンの起動または停止を指令する制御装置が出力した運転制御信号を前記統括制御装置から受信した場合、前記運転制御信号に応じた制御内容で前記ガスタービンの起動または停止を実行し、
前記運転制御信号は、起動または停止の対象となるガスタービンと、前記起動または停止の対象となるガスタービンの起動順序または停止順序と、前記起動操作後または前記停止操作後に前記運転状態にあるガスタービンの目標個数とを規定する
ガスタービン制御装置。
【発明の詳細な説明】
【技術分野】
【０００１】
本発明の実施形態は、制御装置、制御方法、プログラム、及びガスタービン制御装置に関する。
【背景技術】
【０００２】
コンバインドサイクル発電プラントには、一軸型と多軸型が存在する。一軸型コンバインドサイクル発電プラントは、ガスタービン、排熱回収ボイラ、蒸気タービン、発電機それぞれを一台ずつ有する。そして、このプラントは、排熱回収ボイラでガスタービンの排出ガスから熱を回収し、回収された熱を用いて生じた蒸気によって蒸気タービンを回し、蒸気タービンに接続された発電機が電力を生成する。このように、一軸型コンバインドサイクル発電プラントは、ガスタービンと蒸気タービンが一つの発電機を駆動する。
【０００３】
一方、多軸型コンバインドサイクル発電プラントは、ガスタービンと蒸気タービンが別々の発電機を駆動する。多軸型コンバインドサイクル発電プラントは、ガスタービン、発電機、排熱回収ボイラの複数の組と、蒸気タービンと発電機の１台の組とを有する。
【先行技術文献】
【特許文献】
【０００４】
【特許文献１】特開昭５９−２７４８１８号公報
【特許文献２】特開２００９−０７１１００号公報
【特許文献３】特開２０１０−０３３８２４号公報
【発明の概要】
【発明が解決しようとする課題】
【０００５】
一軸型の場合は、一台の蒸気タービンに供給される蒸気は、一台のガスタービン及び排熱回収ボイラの組から供給されるのに対し、多軸型の場合、一台の蒸気タービンに供給される蒸気は、複数台のガスタービン及び排熱回収ボイラの組から供給される。このため、ガスタービンの運転台数により、供給される蒸気量が大きく変化する。
【０００６】
但し、中央給電指令所からの指令による目標負荷に対して、全てのガスタービン及び発電機の組と、蒸気タービン及び発電機の組とを同じ程度に平衡に出力を上げたり下げたりすることは難しい。そのため、順次ガスタービン及び発電機の組を起動または停止させる運転が必要となる。
【０００７】
しかしながら、順次ガスタービンを起動または停止する場合、対象となるガスタービンの起動順序又は停止順序と、運転状態にするガスタービンの目標個数とに応じて、対象となるガスタービンの制御内容が異なってくる。このため、ガスタービンの起動制御または停止制御が難しいという問題がある。
【０００８】
そこで本発明の実施形態は、多軸型コンバインドサイクル発電プラントにおいて、ガスタービンの起動制御または停止制御を簡易化する制御装置、制御方法、プログラム、及びガスタービン制御装置を提供することを目的とする。
【課題を解決するための手段】
【０００９】
本発明の実施形態に係る制御装置は、多軸型コンバサイドサイクル発電プラント内の複数のガスタービンを制御する複数のガスタービン制御装置に対して、制御対象の前記ガスタービンの起動または停止を指令する制御装置である。制御装置は、操作者の指示を受け付ける入力部を備える。制御装置は、前記操作者の指示に応じて、前記ガスタービンの起動または停止を制御するための処理を実行する制御部を備える。制御装置は、前記複数のガスタービン制御装置と接続された出力部を備える。前記入力部は、各ガスタービンの起動順序または停止順序と、起動操作後または停止操作後に運転状態にあるガスタービンの目標個数とを受け付ける。前記制御部は、前記入力部が受け付けた前記起動順序または前記停止順序と、前記起動操作後または前記停止操作後に前記運転状態にあるガスタービンの目標個数とに応じて、前記ガスタービンの運転を制御する運転制御信号を前記ガスタービン毎に生成する。前記制御部は、対応する前記運転制御信号に応じた制御内容で前記ガスタービンの起動または停止を実行するガスタービン制御装置へ、前記対応する運転制御信号を前記出力部から出力させる。前記運転制御信号は、起動または停止の対象となるガスタービンと、前記起動または停止の対象となるガスタービンの起動順序または停止順序と、前記起動操作後または前記停止操作後に運転状態にあるガスタービンの目標個数とを規定する。
【図面の簡単な説明】
【００１０】
【図１】図１は、第１の実施形態における多軸型コンバインドサイクル発電プラントの構成を示す図である。
【図２】図２は、起動スケジュール設定画面１１０１の一例である。
【図３】図３は、停止スケジュール設定画面１１０２の一例である。
【図４】図４は、複数の属性の一例を示す表である。
【図５】図５は、起動時のＰＴＮ番号の決定に用いられるテーブルである。
【図６】図６は、起動時のＰＴＮ番号の番号体系５０１を示す図である。
【図７】図７は、停止時のＰＴＮ番号の決定に用いられるテーブルである。
【図８】図８は、停止時のＰＴＮ番号の番号体系６０１を示す図である。
【図９】図９は、第１の実施形態における対話処理部１４１の構成を示す図である。
【図１０】図１０は、第１の実施形態におけるＰＴＮ番号採番処理部１４２の構成を示す図である。
【図１１】図１１は、起動ＰＴＮ番号判定式９０１の一例である。
【図１２】図１２は、停止ＰＴＮ番号判定式９０２の一例である。
【図１３】図１３は、第１の実施形態におけるガスタービン制御装置２の構成を示す図である。
【図１４】図１４は、第１の実施形態におけるプラント起動時の処理の一例を示すフローチャートである。
【図１５】図１５は、第２の実施形態における多軸型コンバインドサイクル発電プラントの構成を示す図である。
【図１６】図１６は、第２の実施形態における統括制御装置９の構成を示す図である。
【図１７】図１７は、第２の実施形態におけるプラント起動時の処理の一例を示すフローチャートである。
【図１８】図１８は、比較例における一軸型コンバインドサイクル発電プラントの構成を示す図である。
【発明を実施するための形態】
【００１１】
（比較例）
本実施形態について説明する前に、本実施形態との比較のために、一軸型コンバインドサイクル発電プラントを比較例として説明する。図１８は、比較例における一軸型コンバインドサイクル発電プラントの構成を示す図である。
【００１２】
図１８に示すように、一軸型コンバインドサイクル発電プラントは、制御装置１００、ガスタービン制御部（ＧＴ制御部）１２０、ガスタービン（ＧＴ）１３０、排熱回収ボイラ（ＨＲＳＧ）１４０、蒸気タービン（ＳＴ）１５０、及び蒸気タービン１５０の軸と接続された発電機１６０を備える。
【００１３】
ガスタービン制御部１２０は、ガスタービン１３０の出力を制御する。
【００１４】
ガスタービン（ＧＴ）１３０は、空気を吸い込んで圧縮し、圧縮された空気とともに、噴射した燃料を燃焼させて高温且つ高圧のガスを発生させ、ガスタービンを回す。ガスタービンを回した後の排ガスは排熱回収ボイラ（ＨＲＳＧ）１４０へ出力される。
【００１５】
排熱回収ボイラ（ＨＲＳＧ）１４０は、ガスタービン（ＧＴ）１３０から出力された排ガスから熱を回収することにより蒸気を生成し、生成した蒸気を蒸気タービンに供給する。
【００１６】
蒸気タービン（ＳＴ）１５０は、排熱回収ボイラ（ＨＲＳＧ）１４０から供給された蒸気を用いてタービンを回す。これにより、発電機１６０に電力が発生する。
【００１７】
制御装置１００は、入出力部１０１、情報提示部１０２、入力部１０３、制御部１０４、スケジュールデータ部１０５を備える。
【００１８】
入出力部１０１は、ガスタービン制御部１２０と接続されている。
【００１９】
情報提示部１０２は、操作者に対して情報を提示する。情報提示部１０２は、例えば、液晶ディスプレイである。
【００２０】
入力部１０３は、操作者の指示を受け付ける。
【００２１】
制御部１０４は、入出力部１０１及び情報提示部１０２を制御する。ここで、制御部１０４は、対話処理部１０４１と、スケジュール計算処理部１０４２と、自動化処理部１０４３とを備える。
【００２２】
対話処理部１０４１は、入出力部１０１からプラントデータを取得し、このプラントデータを情報提示部１０２に表示させる。また、対話処理部１０４１には、入力部１０３が受け付けた操作者の指示が入力される。ここで、操作者の指示は、プラント起動操作時の属性、またはプラント停止操作時の属性を含む。ここで、プラント起動操作時の属性は、ガスタービン（ＧＴ）１３０及び蒸気タービン１５０から系統への送電を開始する並列目標時刻を含む。また、プラント起動停止時の属性は、ガスタービン（ＧＴ）１３０及び蒸気タービン１５０から系統への送電を停止する停止完了目標時刻を含む。
【００２３】
対話処理部１０４１は、入力された属性を計算実行要求とともにスケジュール計算処理部１０４２へ通知する。
【００２４】
スケジュール計算処理部１０４２は、対話処理部１０４１により通知された属性を用いて、並列目標時刻または停止完了目標時刻までの運転スケジュールを計算し、スケジュール計算結果をスケジュールデータ部１０５に格納する。
【００２５】
自動化処理部１０４３は、スケジュールデータ部１０４２からスケジュール計算結果を読み込み、入出力部１０１からガスタービン制御部１２０へ送信させる。
【００２６】
この比較例は、一軸型コンバインドサイクル発電プラントである。それに対し、本実施形態では、多軸型コンバインドサイクル発電プラントについて説明する。以下、図面を参照しながら、本発明の実施形態について説明する。
【００２７】
（第１の実施形態）
第１の実施形態では、一例として、ガスタービンと発電機の組が３組、蒸気タービンと発電機の組が１組から構成される３ＯＮ１の構成について説明する。なお、第１の実施形態は、３ＯＮ１の構成に限らず、２ＯＮ１の構成にも、Ｎ（Ｎは４以上の整数）ＯＮ１の構成にも適用可能である。
【００２８】
図１は、第１の実施形態における多軸型コンバインドサイクル発電プラントの構成を示す図である。図１に示すように、多軸型コンバインドサイクル発電プラントは、制御装置１と、第１のガスタービン制御装置（＃１ＧＴ制御装置）２−１と、第２のガスタービン制御装置（＃２ＧＴ制御装置）２−２と、第３のガスタービン制御装置（＃３ＧＴ制御装置）２−３とを備える。以下、第１のガスタービン制御装置２−１、第２のガスタービン制御装置２−２、第３のガスタービン制御装置２−３を総称して、ガスタービン制御装置２という。
【００２９】
更に、多軸型コンバインドサイクル発電プラントは、第１のガスタービン（ＧＴ（Ａ））３−１と、第２のガスタービン（ＧＴ（Ｂ））３−２と、第３のガスタービン（ＧＴ（Ｃ））３−３とを備える。以下、第１のガスタービン（ＧＴ（Ａ））３−１、第２のガスタービン（ＧＴ（Ｂ））３−２、及び第３のガスタービン（ＧＴ（Ｃ））３−３を総称して、ガスタービン３という。
【００３０】
更に、多軸型コンバインドサイクル発電プラントは、発電機４−１、４−２、４−３の三つの発電機と、第１の排熱回収ボイラ（ＨＲＳＧ（Ａ））５−１と、第２の排熱回収ボイラ（ＨＲＳＧ（Ｂ））５−２と、第３の排熱回収ボイラ（ＨＲＳＧ（Ｃ））５−３とを備える。以下、第１の排熱回収ボイラ（ＨＲＳＧ（Ａ））、第２の排熱回収ボイラ（ＨＲＳＧ（Ｂ））、及び第３の排熱回収ボイラ（ＨＲＳＧ（Ｃ））を総称して、排熱回収ボイラ５という。
【００３１】
更に、多軸型コンバインドサイクル発電プラントは、蒸気タービン制御装置（ＳＴ制御装置）６と、蒸気タービン（ＳＴ）７と、発電機８とを備える。
【００３２】
制御装置１は、複数のガスタービン３を制御する複数のガスタービン制御装置２に対して、制御対象のガスタービン３の起動または停止を指令する。具体的には、制御装置１は、第１のガスタービン制御装置２−１、第２のガスタービン制御装置２−２、第３のガスタービン制御装置２−３に対して、制御対象のガスタービン３の起動または停止を指令する。また、制御装置１は、蒸気タービン制御装置６に対して、制御対象の蒸気タービン７の起動または停止を指令する。
【００３３】
第１のガスタービン制御装置２−１は、第１のガスタービン３−１を制御する。
【００３４】
第２のガスタービン制御装置２−２は、第２のガスタービン３−２を制御する。
【００３５】
第３のガスタービン制御装置２−３は、第３のガスタービン３−３を制御する。
【００３６】
蒸気タービン制御装置６は、蒸気タービン７を制御する。
【００３７】
ガスタービン３は、空気を吸い込んで圧縮し、圧縮された空気とともに、噴射した燃料を燃焼させて高温且つ高圧のガスを発生させ、タービンを回す。これにより、発電機４−１、４−２、４−３に電力が発生する。タービンを回した後の排ガスは排熱回収ボイラ５へ出力される。
【００３８】
排熱回収ボイラ５は、ガスタービン３から出力された排ガスから熱を回収することにより蒸気を生成し、生成した蒸気を蒸気タービン７に供給する。
【００３９】
蒸気タービン７は、排熱回収ボイラ５から供給された蒸気を用いてタービンを回す。これにより、発電機８に電力が発生する。
【００４０】
図１に示すように、制御装置１は、入出力部（出力部）１１、情報提示部１２、入力部１３、制御部１４、スケジュールデータ部１５を備える。
【００４１】
入出力部１１は、複数のガスタービン制御装置２と接続されている。
【００４２】
情報提示部１２は、操作者に対して情報を提示する。情報提示部１２は、例えば、制御装置１から操作者へ各種情報を出力するインターフェースであり、例えば映像を表示する表示部（例えば、液晶ディスプレイ）やスピーカである。
【００４３】
情報提示部１２は、ユーザからの操作を受け付けるためのＧＵＩ（Graphical User Interface）を表示する。また、情報提示部１２は、特定のガスタービンの起動または停止を促す情報を表示するか、または音声出力する。
【００４４】
入力部１３は、操作者の指示を受け付ける。入力部１３は、例えば、マウスである。
【００４５】
制御部１４は、入出力部１１及び情報提示部１２を制御し、操作者の指示に応じて、ガスタービンの起動または停止を制御するための処理を実行する。制御装置１は、不図示のＣＰＵ（Central Processing Unit）、不図示のＲＡＭ（Random Access Memory）、不図示の記憶部などを備え、ＣＰＵが記憶部に記憶されているプログラムを読み出して実行することで上述した制御部１４の処理を実現する。ここで、制御部１４は、対話処理部１４１と、ＰＴＮ番号採番処理部１４２と、スケジュール計算処理部１４３と、自動化処理部１４４とを備える。
【００４６】
対話処理部１４１は、起動操作の場合、図２に示す起動スケジュール設定画面１１０１を表示する。図２は、起動スケジュール設定画面１１０１の一例である。図２において、起動操作前に運転状態にあるガスタービンの構成（起動開始時コンポ）が表示され、起動操作後に運転状態にあるガスタービンの構成（起動完了時コンポ）が選択可能に表示されている。すなわち、図２の起動スケジュール設定画面１１０１が表示されている間に、入力部１３は、起動操作後に運転状態にあるガスタービンの目標個数を受け付ける。
【００４７】
また、図２において、各ガスタービンの起動順序（ＧＴ起動オーダ）が選択可能に表示されている。すなわち、図２の起動スケジュール設定画面１１０１が表示されている間に、入力部１３は、各ガスタービンの起動順序を受け付ける。
【００４８】
一方、停止操作の場合、対話処理部１４１は、図３に示す停止スケジュール設定画面１１０２を表示する。図３は、停止スケジュール設定画面１１０２の一例である。図３において、停止操作前に運転状態にあるガスタービンの構成（停止開始時コンポ）が表示され、停止操作後に運転状態にあるガスタービンの構成（停止完了時コンポ）が選択可能に表示されている。すなわち、図３の停止スケジュール設定画面１１０２が表示されている間に、入力部１３は、停止操作後に運転状態にあるガスタービンの目標個数を受け付ける。
【００４９】
また、図３において、各ガスタービンの停止順序（ＧＴ停止オーダ）が選択可能に表示されている。すなわち、図３の停止スケジュール設定画面１１０２が表示されている間に、入力部１３は、各ガスタービンの停止順序を受け付ける。
【００５０】
対話処理部１４１は、入出力部１１がガスタービン制御装置２から取得したプラントデータを取得し、このプラントデータを情報提示部１２に表示する。
【００５１】
また、入力部１３は、図４に示す複数の属性を操作者から受け付け、受け付けた複数の属性を対話処理部１４１に通知する。
【００５２】
図４は、複数の属性の一例を示す表である。図４に示すように、属性が操作種別の場合、その値として、起動または停止が操作者により指定される。属性が目標負荷の場合、その値として、起動の場合、中央給電指令所からの目標負荷が操作者により指定される。
【００５３】
属性が目標時刻の場合、その値として、起動の場合、蒸気タービン（ＳＴ）、ガスタービン（ＧＴ）の並列目標時刻が操作者により指定され、停止の場合、停止完了目標時刻が操作者により指定される。この並列目標時刻は、多軸型コンバサイドサイクル発電プラントから系統への送電を開始する送電開始目標時刻である。停止完了目標時刻は、多軸型コンバサイドサイクル発電プラントから系統への送電を停止する送電停止目標時刻である。
【００５４】
属性がコンポの場合、その値として、起動の場合、ガスタービン（ＧＴ）起動数または起動後のプラントの構成が操作者により指定され、停止の場合、停止操作後のガスタービン（ＧＴ）起動数または停止後の構成が操作者により指定される。
【００５５】
属性がオーダの場合、その値として、起動の場合、ガスタービン（ＧＴ）起動順序が操作者により指定され、停止の場合、ガスタービン（ＧＴ）停止順序が操作者により指定される。
【００５６】
ＰＴＮ番号採番処理部１４２は、入力部１３から通知された操作種別が起動の場合、入力部１３から通知されたコンポとオーダ（すなわちガスタービンＧＴ起動順番）を図５に示すテーブル７０１に適用して、対応するＰＴＮ番号を取得する。このコンポには、ガスタービン起動数を示す情報が含まれる。ここで、ＰＴＮ番号は、ガスタービン３の運転を制御する情報であり、後述するように、ガスタービン制御装置２は、このＰＴＮ番号を示す運転制御信号に応じた制御内容でガスタービン３の起動または停止を実行する。
【００５７】
このように、制御部１４は、入力部１３が受け付けた起動順序または停止順序と、起動完了時または停止操作後に運転状態にあるガスタービンの目標個数とに応じて、ガスタービンの運転を制御する運転制御信号をガスタービン毎に生成する。運転制御信号は、起動または停止の対象となるガスタービンと、起動または停止の対象となるガスタービンの起動順序または停止順序と、起動操作後または停止操作後に運転状態にあるガスタービンの目標個数とを規定する。
【００５８】
ＰＴＮ番号採番処理部１４２は、このＰＴＮ番号をスケジュール計算処理部１４３へ通知する。更に、ＰＴＮ番号採番処理部１４２は、計算実行要求をスケジュール計算処理部１４３へ通知する。
【００５９】
図５は、起動時のＰＴＮ番号の決定に用いられるテーブルである。図５に示すように、テーブル７０１では、コンポと、オーダとの組に対して、各ガスタービンに割り当てられるＰＴＮ番号が決められている。例えば、コンポが３ＯＮ１の構成で、且つオーダがＡＢＣ、すなわちＧＴ（Ａ）、ＧＴ（Ｂ）、ＧＴ（Ｃ）の起動順序である場合、ＧＴ（Ａ）に対しては、ＰＴＮ番号は「ＫＡ１３」になる。
【００６０】
ここで、起動時のＰＴＮ番号は、図６に示す番号体系に従って決められている。図６は、起動時のＰＴＮ番号の番号体系５０１を示す図である。図６に示すように、第１文字目は起動を表す「Ｋ」が割り当てられ、第２文字目は、起動の対象となるガスタービンを識別する情報（ここでは一例としてアルファベット）が割り当てられる。第３文字目は、起動の対象となるガスタービンの起動順序を示す。第４文字目は、起動操作後のプラントの構成を識別する番号である。
【００６１】
例えば、図６に示すようにＰＴＮ番号が「ＫＢ２３」の場合、ＧＴ（Ｂ）が２番目に起動し、起動操作後に運転状態にあるガスタービンが３個であることを示す。これは、「ＫＢ２３」というＰＴＮ番号は、三つガスタービンを起動するうち、ＧＴ（Ｂ）を２番目に起動することを意味する。
【００６２】
図７は、停止時のＰＴＮ番号の決定に用いられるテーブルである。図７に示すように、テーブル８０１では、コンポと、オーダとの組に対して、各ガスタービンに割り当てられるＰＴＮ番号が決められている。例えば、コンポが０ＯＮ０の構成で、且つオーダがＡＢＣ、すなわちＧＴ（Ａ）、ＧＴ（Ｂ）、ＧＴ（Ｃ）の停止順序である場合、ＧＴ（Ａ）に対しては、ＰＴＮ番号は「ＴＡ１０」になる。
【００６３】
ここで、停止時のＰＴＮ番号は、図８に示す番号体系に従って決められている。図８は、停止時のＰＴＮ番号の番号体系６０１を示す図である。図８に示すように、第１文字目は停止を表す「Ｔ」が割り当てられ、第２文字目は、停止の対象となるガスタービンを識別する情報（ここでは一例としてアルファベット）が割り当てられる。第３文字目は、停止の対象となるガスタービンの停止順序を示す。第４文字目は、停止操作後のプラントの構成を識別する番号である。
【００６４】
例えば、図８に示すようにＰＴＮ番号が「ＴＣ２１」の場合、ＧＴ（Ｃ）が２番目に停止し、停止操作後に運転状態にあるガスタービンが１個であることを示す。これは、「ＴＣ２１」というＰＴＮ番号は、二つのガスタービンを停止するうち、ＧＴ（Ｂ）を２番目に停止することを意味する。
【００６５】
スケジュール計算処理部１４３は、入力部１３が受け付けた並列目標時刻または停止完了目標時刻を用いて、複数のガスタービンのうち少なくとも一つのガスタービンの起動または停止のスケジュールを決定する。スケジュール計算処理部１４３は、決定したスケジュールを示すスケジュールデータをスケジュールデータ部１５に格納する。
【００６６】
自動化処理部１４４は、決定したスケジュールを参照して、複数のガスタービンのうち特定のガスタービンの起動開始時刻または停止開始時刻より規定時間だけ前の時刻になった場合、この特定のガスタービンの起動または停止を促す情報を情報提示部１２に提示させる。これにより、多軸型コンバインドサイクル発電プラントの運転員は、起動開始時刻または停止開始時刻近くになったことを把握することができる。このため、起動開始時刻または停止開始時刻になると、運転員は、このプラントの起動指示または停止指示を制御装置１の入力部１３を用いて入力する。
【００６７】
入力部１３が起動指示または停止指示を受け付けた場合、自動化処理部１４４は、起動指令または停止指令に加えて、起動または停止の対象となるガスタービンを制御するガスタービン制御装置２用に決定されたＰＴＮ番号を示す運転制御信号を、入出力部１１からガスタービン制御装置２へ送信させる。これにより、このガスタービン制御装置２は、受信したに運転制御信号に応じた制御内容で起動または停止の対象となるガスタービン３の起動または停止を実行する。
【００６８】
このように、制御部１４は、運転制御信号を、対応するガスタービン制御装置であって運転制御信号に応じた制御内容でガスタービンの起動または停止を実行するガスタービン制御装置へ入出力部１１から送信させる。
【００６９】
＜対話処理部１４１の処理の詳細＞
続いて、対話処理部１４１の処理の詳細について説明する。図９は、第１の実施形態における対話処理部１４１の構成を示す図である。図９に示すように、対話処理部１４１は、スケジュール計算メニュー表示部２５１と、起動スケジュール設定画面表示部２５２と、起動スケジュール属性設定部２５３と、起動スケジュール属性通知部２５４と、属性記憶部４０１と、起動スケジュール設定画面記憶部４０２とを備える。
【００７０】
スケジュール計算メニュー表示部２５１は、起動または停止操作に応じた対話設定画面を情報提示部１２に表示させる。
【００７１】
起動スケジュール設定画面記憶部４０２には、起動スケジュール設定画面を表示するための情報である起動スケジュール設定画面情報が格納されている。
【００７２】
既述の対話設定画面において起動が選択された場合、起動スケジュール設定画面表示部２５２は、起動スケジュール設定画面記憶部４０２から起動スケジュール設定画面情報を読み込み、起動スケジュール設定画面を情報提示部１２に表示させる。
【００７３】
起動スケジュール属性設定部２５３は、ガスタービン起動数と起動順序、蒸気タービンやガスタービンの並列目標時刻等の選択、設定を操作者に促す。起動スケジュール属性設定部２５３は、操作者により指定された属性を属性記憶部４０１に格納する。
【００７４】
起動スケジュール設定画面表示部２５４は、属性記憶部４０１から、操作者により指定された属性を読み出し、読み出した属性をＰＴＮ番号採番処理部１４２に通知する。
【００７５】
更に対話処理部１４１は、停止スケジュール設定画面表示部２５５と、停止スケジュール属性設定部２５６と、停止スケジュール属性通知部２５７と、停止スケジュール設定画面記憶部４０３とを備える。
【００７６】
停止操作時についても同様に、停止スケジュール設定画面記憶部４０３には、停止スケジュール設定画面を表示するための情報である停止スケジュール設定画面情報が格納されている。
【００７７】
既述の対話設定画面において停止が選択された場合、停止スケジュール設定画面表示部２５５は、停止スケジュール設定画面記憶部４０３から停止スケジュール設定画面情報を読み込み、この停止スケジュール設定画面情報を情報提示部１２に表示させる。
【００７８】
停止スケジュール設定画面表示部２５６は、停止操作後のガスタービン稼働数と停止順番、停止を完了させる目標時刻等の選択、設定を操作者に促す。停止スケジュール設定画面表示部２５６は、操作者により指定された属性を属性記憶部４０１に格納する。
【００７９】
停止スケジュール設定画面表示部２５７は、属性記憶部４０１から、操作者により指定された属性を読み出し、読み出した属性をＰＴＮ番号採番処理部１４２に通知する。
【００８０】
これにより、複数のガスタービンを起動するまたは停止する場合において、少なくとも１台以上ガスタービンの起動が完了している場合の追加起動等、ガスタービンの稼働数の増減を滞りなく、各ガスタービン制御装置２へ通知できる。
【００８１】
＜ＰＴＮ番号採番処理部１４２の処理の詳細＞
続いて、ＰＴＮ番号採番処理部１４２の処理について説明する。図１０は、第１の実施形態におけるＰＴＮ番号採番処理部１４２の構成を示す図である。
【００８２】
図１０に示すように、ＰＴＮ番号採番処理部１４２は、属性入力部３０１と、起動ＰＴＮ番号作成部３０２と、起動ＰＴＮ番号判定部３０３と、起動ＰＴＮ番号通知部３０４と、起動ＰＴＮ番号判定条件情報記憶部３０５とを備える。
【００８３】
更に、ＰＴＮ番号採番処理部１４２は、停止ＰＴＮ番号作成部３０６と、停止ＰＴＮ番号判定部３０７と、停止ＰＴＮ番号通知部３０８と、停止ＰＴＮ番号判定条件情報記憶部３０９と、ＰＴＮ番号異常通知部３１０とを備える。
【００８４】
属性入力部３０１は、図４に示すような複数の属性を対話処理部１４１から取得する。
【００８５】
起動ＰＴＮ番号判定条件情報記憶部３０５には、図５に示すようなテーブル７０１が格納されている。
【００８６】
起動ＰＴＮ番号作成部３０２は、属性入力部３０１が取得した属性のうち操作種別の値が起動の場合、起動ＰＴＮ番号判定条件情報記憶部３０５を参照して、属性入力部３０１が取得したガスタービン起動数及びガスタービン起動順序に対応する、ＰＴＮ番号を決定する。
【００８７】
起動ＰＴＮ番号判定部３０３は、図１１に示す起動ＰＴＮ番号判定式９０１を用いて、起動ＰＴＮ番号作成部３０２が決定したＰＴＮ番号が正常か否かを判定する。図１１は、起動ＰＴＮ番号判定式９０１の一例である。図１１に示す起動ＰＴＮ番号判定式９０１に当てはまる場合、異常であり、当てはまらない場合、正常である。
【００８８】
起動ＰＴＮ番号通知部３０４は、起動ＰＴＮ番号判定部３０３によりＰＴＮ番号が正常であると判定された場合、このＰＴＮ番号をスケジュール計算処理部１４３に通知する。
【００８９】
続いて、属性の想定されるいくつかの選択パターンから、起動ＰＴＮ番号判定部３０３における具体的な判定例を以下、説明する。
【００９０】
判定例１は、ガスタービン全台停止状態から３ＯＮ１状態にしたい場合である。この場合、属性として操作者が、オーダとして「ＡＢＣ」、コンポとして「３」（すなわち３ＯＮ１の構成）を選択する。このオーダとコンポを図５のテーブル７０１に適用すると、ＧＴ（Ａ）用のＰＴＮ番号はＫＡ１３、ＧＴ（Ｂ）用のＰＴＮ番号はＫＢ２３、ＧＴ（Ｃ）用のＰＴＮ番号はＫＣ３３である。この場合、操作者の選択には問題はなく、ＰＴＮ番号の採番結果は正常である。
【００９１】
判定例２は、ＧＴ（Ｃ）のみすでに起動を完了している１ＯＮ１状態において、ＧＴ（Ａ）を追加起動し、２ＯＮ１構成にこれからする場合である。なお、ＧＴ（Ｂ）は停止状態にあるとする。ここで、操作者が、オーダとして「ＣＡＢ」、コンポとして「２」（すなわち２ＯＮ１の構成）を選択する。このオーダとコンポを図５のテーブル７０１に適用すると、ＧＴ（Ａ）用のＰＴＮ番号はＫＡ２２、ＧＴ（Ｃ）用のＰＴＮ番号はＫＣ１２である。一方、ＧＴ（Ｂ）については、２ＯＮ１構成では起動する必要がなく、ＰＴＮ番号は採番されない。この場合、ＰＴＮ番号の採番結果は正常となる。
【００９２】
次に、採番異常の例について説明する。
【００９３】
判定例３は、ＧＴ（Ｃ）のみ起動が完了している１ＯＮ１状態からＧＴ（Ａ）を追加起動し、２ＯＮ１状態にこれからする場合である。なお、ＧＴ（Ｂ）は停止状態にあるとする。ここで操作者は、コンポとして「２」（すなわち２ＯＮ１の構成）を選択したが、オーダを誤って「ＡＣＢ」を選択したとする。
【００９４】
このオーダとコンポを図５のテーブル７０１に適用すると、ＧＴ（Ａ）用のＰＴＮ番号としてＫＡ１２、ＧＴ（Ｃ）用のＰＴＮ番号としてＫＣ２２が得られる。一方、ＧＴ（Ｂ）については、２ＯＮ１構成では起動する必要がなく、ＰＴＮ番号は採番されない。  
この場合、起動ＰＴＮ番号判定式９０１の一段目の条件に当てはまっている。すなわち、オーダが後発のＧＴ（Ｃ）が起動完了しているにも関わらず、且つオーダが先発のＧＴ（Ａ）が未だ起動完了していないため、採番に矛盾が生じている。
【００９５】
よって、起動ＰＴＮ番号判定部３０３は、採番は異常であると判定し、ＰＴＮ番号異常通知部３１０を介し、対話処理部１４１へ異常を通知する。このように、起動ＰＴＮ番号判定部３０３が異常であると判定した場合、ＰＴＮ番号異常通知部３１０は、対話処理部１４１へ異常を通知する。
【００９６】
判定例４は、ＧＴ（Ｃ）のみ起動が完了している１ＯＮ１状態からＧＴ（Ａ）を追加起動し、２ＯＮ１状態にこれからする場合である。なお、ＧＴ（Ｂ）は停止状態にあるとする。ここで操作者は、コンポとして「２」（すなわち２ＯＮ１の構成）を選択したが、オーダを誤って「ＡＢＣ」に選択したとする。
【００９７】
このオーダとコンポを図５のテーブル７０１に適用すると、ＧＴ（Ａ）用のＰＴＮ番号としてＫＡ１２、ＧＴ（Ｂ）用のＰＴＮ番号としてＫＢ２２が得られる。一方、ＧＴ（Ｃ）については、２ＯＮ１構成では起動する必要がなく、ＰＴＮ番号は採番されない。
【００９８】
この場合、判定例３と同様、「起動オーダが後発のＧＴ（Ｃ）が起動を完了しているにもかかわらず、起動オーダが先発のＧＴ（Ａ）が起動完了状態にない」という矛盾が生じている。このため、起動ＰＴＮ番号判定部３０３は、採番は異常と判定し、ＰＴＮ番号異常通知部３１０を介し、対話処理部１４１へ異常を通知する。
【００９９】
停止ＰＴＮ番号判定条件情報記憶部３０９には、図７に示すようなテーブル８０１が格納されている。
【０１００】
停止ＰＴＮ番号作成部３０６は、属性入力部３０１が取得した属性のうち操作種別の値が停止の場合、停止ＰＴＮ番号判定条件情報記憶部３０９を参照して、属性入力部３０１が取得したガスタービン停止数及びガスタービン停止順序に対応する、ＰＴＮ番号を決定する。
【０１０１】
停止ＰＴＮ番号判定部３０７は、図１２に示す停止ＰＴＮ番号判定式９０２を用いて、停止ＰＴＮ番号作成部３０６が決定したＰＴＮ番号が正常か否かを判定する。図１２は、停止ＰＴＮ番号判定式９０２の一例である。図１２に示す停止ＰＴＮ番号判定式９０２に当てはまる場合、異常であり、当てはまらない場合、正常である。
【０１０２】
停止ＰＴＮ番号通知部３０８は、停止ＰＴＮ番号判定部３０７によりＰＴＮ番号が正常であると判定された場合、このＰＴＮ番号をスケジュール計算処理部１４３に通知する。
【０１０３】
続いて、属性の想定されるいくつかの選択パターンから、停止ＰＴＮ番号判定部３０７における具体的な判定例を以下、説明する。
【０１０４】
判定例１は、ガスタービン全台運転状態から全台停止状態（０ＯＮ０）にこれからする場合である。この場合、操作者がオーダとして「ＣＢＡ」、コンポとして「０」（すなわち０ＯＮ０の構成）を選択する。このオーダとコンポを図７のテーブル８０１に適用すると、ＧＴ（Ａ）用のＰＴＮ番号としてＴＡ３０、ＧＴ（Ｂ）用のＰＴＮ番号としてＴＢ２０、ＧＴ（Ｃ）用のＰＴＮ番号としてＴＣ１０が得られる。この場合、操作者の選択には問題はなく、採番は正常である。
【０１０５】
判定例２は、ＧＴ（Ｂ）とＧＴ（Ｃ）が運転している２ＯＮ１状態において、ＧＴ（Ｂ）を停止し、１ＯＮ１構成にこれからする場合である。なお、ＧＴ（Ａ）は停止状態にあるとする。ここで、操作者がオーダとして「ＡＢＣ」、コンポとして「１」（すなわち１ＯＮ１の構成）を選択する。このオーダとコンポを図７のテーブル８０１に適用すると、ＧＴ（Ａ）のＰＴＮ番号としてＴＡ１１、ＧＴ（Ｂ）のＰＴＮ番号としてＴＢ２１が得られる。一方、ＧＴ（Ｃ）については、停止する必要がなく、停止ＰＴＮ番号が採番されない。この場合、操作者の選択には問題はなく、採番は正常である。
【０１０６】
次に、採番異常の例を説明する。
【０１０７】
判定例３は、ＧＴ（Ｂ）とＧＴ（Ｃ）が運転している２ＯＮ１状態からＧＴ（Ｂ）を停止し、１ＯＮ１状態にしたい場合である。なお、ＧＴ（Ａ）は停止状態にあるとする。ここで、操作者はコンポとして「１」（すなわち１ＯＮ１の構成）を選択したが、オーダについては誤って「ＢＡＣ」を選択したとする。このオーダとコンポを図７のテーブル８０１に適用すると、ＧＴ（Ｂ）のＰＴＮ番号としてＴＢ１１、ＧＴ（Ａ）のＰＴＮ番号としてＴＡ２１が得られる。一方、ＧＴ（Ｃ）については、停止する必要がなく、停止ＰＴＮ番号は採番されない。
【０１０８】
この場合、停止ＰＴＮ番号判定式９０２の一段目の条件に当てはまっている。すなわち、オーダが先発のＧＴ（Ｂ）が停止状態ではないにもかかわらず、オーダが後発のＧＴ（Ａ）が停止完了しているため、採番に矛盾が生じている。
【０１０９】
このため、停止ＰＴＮ番号判定部３０７は、採番は異常であると判定し、ＰＴＮ番号異常通知部３１０を介し、対話処理部１４１へ異常を通知する。
【０１１０】
判定例４は、ＧＴ（Ｂ）とＧＴ（Ｃ）が運転している２ＯＮ１状態からＧＴ（Ｂ）を停止し、１ＯＮ１状態にこれからする場合である。なお、ＧＴ（Ａ）は停止状態にあるとする。ここで操作者はコンポとして「１」（すなわち１ＯＮ１の構成）を選択したが、オーダについては誤って「ＢＣＡ」を選択したとする。このオーダとコンポを図７のテーブル８０１に適用すると、ＧＴ（Ｂ）のＰＴＮ番号としてＴＢ１１、ＧＴ（Ｃ）のＰＴＮ番号としてＫＢ２１が得られる。一方、ＧＴ（Ａ）については、停止する必要がなく、停止ＰＴＮ番号は採番されない。
【０１１１】
この場合、判定例３と同様、オーダが先発のＧＴ（Ｂ）が停止完了ではないにもかかわらず、オーダが先発のＧＴ（Ａ）が停止完了しているため、採番に矛盾が生じている。このため、停止ＰＴＮ番号判定部３０７は、採番は異常であると判定し、ＰＴＮ番号異常通知部３１０を介し、対話処理部１４１へ異常を通知する。
【０１１２】
以上により、多軸型コンバインドサイクル発電プラントにおいて、一台の蒸気タービン７の並列後、ＰＴＮ番号採番処理部１４２は、ガスタービンの稼働台数の増減に応じて、ＰＴＮ番号を決定することができる。
【０１１３】
＜スケジュール計算処理部１４３の処理の詳細＞
続いて、スケジュール計算処理部１４３におけるスケジュール計算の処理の詳細について説明する。
【０１１４】
起動スケジュール計算とは、多軸型コンバインドサイクル発電プラントから系統へ電力を送電開始する時刻である並列目標時刻を設定したとき、いかなるときにプラントの起動操作を始めれば良いかを、現在のプラント状態を元に計算により求めるものである。また、起動スケジュール計算の際、起動操作に必要なパラメータ（タービンの昇速率など）も計算により求める。これらのパラメータは各ガスタービン制御装置に通知され、ガスタービンの適切な起動が行えるようにしている。
【０１１５】
一方、停止スケジュール計算とは、多軸型コンバインドサイクル発電プラントから系統への送電を停止する時刻である停止完了目標時刻を設定したとき、いかなるときにプラントの出力を下げ始めれば良いかを計算により求めるものである。
【０１１６】
多軸型コンバインドサイクル発電プラントは、水及び蒸気系統、燃料系統、通風系統、冷却水系統など複数の系統から構成され、その各々の系統にはポンプや熱交換器、バルブなどが設置されている。
【０１１７】
起動時には各系統が順番にまたある系統は平行して操作が行われる。その所要時間はプラントの停止状態などにより変わるため、一律に目標時刻の何時間前に開始すれば良いという計算はできない。
【０１１８】
そのため、スケジュール計算処理部１４３は、起動の過程を幾つかのステージ（ブレークポイントという）に分けて、そのステージに行われる各系統の操作と所要時間を停止条件及び停止時間などをパラメータとして計算し、平行操作のうち最大の時間となるものをそのステージの所要時間とする。スケジュール計算処理部１４３は、これをステージ分、合算して全起動所要時間を求める。
【０１１９】
プラントの停止時間（解列から並列までの時間）が長いほど、各ステージの所要時間が長くなる。これは停止時間が長いほど、ボイラやタービンのメタル温度が冷えて温度が下がるので、起動時に温度を上昇する時間がかかることになるからである。
【０１２０】
そのため、スケジュール計算処理部１４３は、まず、仮に計算要求された時刻に直ちに起動を開始した場合という条件で、全起動所要時間を算出する。
【０１２１】
現在時刻に算出された全起動所要時間を加算した第１の時刻が、並列目標時刻よりも前の場合、第１の時刻と並列目標時刻とに差が生じる。このため、スケジュール計算処理部１４３は、次に、起動開始時刻をこの差分の時間（＝並列目標時刻−第１の時刻）遅らせた時刻に更新し、再度、全起動所要時間を求める。スケジュール計算処理部１４３は、遅らせた起動開始時刻に全起動所要時間を足した計算時刻と並列目標時刻が所定の時間差内に入る場合、この遅らせた起動開始時刻を最終的な起動開始時刻に決定する。
【０１２２】
一方、スケジュール計算処理部１４３は、遅らせた起動開始時刻に全起動所要時間を足した計算時刻と並列目標時刻が所定の時間差内に入らない場合、計算時刻が並列目標時刻を過ぎた場合、起動開始時刻を、この差分の時間（＝計算時刻−並列目標時刻）だけ早めた時刻に更に更新し、一方、計算時刻が並列目標時刻より前の場合、起動開始時刻を、この差分の時間（＝並列目標時刻−計算時刻）だけ遅らせた時刻に更に更新する。そして、スケジュール計算処理部１４３は、再度、全起動所要時間を求める。
【０１２３】
スケジュール計算処理部１４３は、上述した計算を、計算時刻と並列目標時刻が所定の時間差内に入るまで繰り返すことで、起動開始時刻を求める。
【０１２４】
また、スケジュール計算処理部１４３は、上述した起動開始時刻の計算と同様の方法で、停止開始時刻を求める。
【０１２５】
図１３は、第１の実施形態におけるガスタービン制御装置２の構成を示す図である。図１３に示すように、ガスタービン制御装置２は、入出力部２１、記憶部２２、ＲＡＭ２３、ＣＰＵ２４、出力部２５を備える。
【０１２６】
入出力部２１は、制御装置１と接続されている。例えば、入出力部２１は、制御装置１からガスタービンの起動または停止の指令、及び運転制御信号を受信する。
【０１２７】
記憶部２２は、各種のプログラムが格納されている。
【０１２８】
ＲＡＭ２３は、データを一次記憶する。
【０１２９】
ＣＰＵ２４は、記憶部２２からプログラムをＲＡＭ２３に読み出して実行することにより、制御部２４１として機能する。
【０１３０】
制御部２４１は、入出力部２１がガスタービンの起動または停止の指令を受信した場合、入出力部２１が受信した運転制御信号に応じた制御内容でガスタービン３の起動または停止を実行する。具体的には例えば、制御部２４１は、運転制御信号に応じた制御内容でガスタービン３の起動または停止を実行するように、制御信号を出力部２５からガスタービン３へ出力する。
【０１３１】
以上のような構成を有する第１の実施形態における多軸型コンバインドサイクル発電プラントの起動時の動作について、図１４を用いて説明する。なお、停止時の動作は、起動時の動作と同様であるので、その説明を省略する。
【０１３２】
図１４は、第１の実施形態におけるプラント起動時の処理の一例を示すフローチャートである。
【０１３３】
（ステップＳ１０１）まず、入力部１３は、操作者から、プラント起動操作時の属性の入力を受け付ける。
【０１３４】
（ステップＳ１０２）次に、制御部１４は、入力部１３が受け付けた操作種別とコンポとオーダを用いて、ＰＴＮ番号を決定する。
【０１３５】
（ステップＳ１０３）次に、制御部１４は、入力部１３が受け付けた、並列目標時刻を用いて、起動目標時刻までの運転スケジュールを計算する。
【０１３６】
（ステップＳ１０４）次に、制御部１４は、起動対象のガスタービンの起動時刻より規定時間だけ前の時刻になったか否か判定する。起動対象のガスタービンの起動時刻より規定時間だけ前の時刻になっていない場合、制御部１４はそのまま待機する。
【０１３７】
（ステップＳ１０５）ステップＳ１０４において、起動対象のガスタービンの起動時刻より規定時間だけ前の時刻になったと判定された場合、制御部１４は、起動対象のガスタービンの起動を促す情報を情報提示部１２に提示する。
【０１３８】
（ステップＳ１０６）次に、制御部１４は、入力部１３が起動対象のガスタービンの起動指示を受け付けたか否か判定する。入力部１３が起動対象のガスタービンの起動指示を受け付けていない場合、制御部１４はそのまま待機する。
【０１３９】
（ステップＳ１０７）ステップＳ１０７において、入力部１３が起動対象のガスタービンの起動指示を受け付けたと判定された場合、制御部１４は、ＰＴＮ番号を示す運転制御信号と起動指令を、起動対象のガスタービンを制御するガスタービン制御装置２へ送信する。
【０１４０】
（ステップＳ１０８）次に、制御部１４は、後ほど起動するガスタービンがあるか否か判定する。後ほど起動するガスタービンがある場合、制御部１４は、後ほど起動するガスタービンを起動対象のガスタービンとして、ステップＳ１０４の処理を実行する。
【０１４１】
（ステップＳ２０１）起動対象のガスタービンを制御するガスタービン制御装置２は、運転制御信号と起動指令を受信する。
【０１４２】
（ステップＳ２０２）起動対象のガスタービンを制御するガスタービン制御装置２は、受信した運転制御信号に応じた制御内容でガスタービンの起動を実行する。
【０１４３】
以上説明したように、第１の実施形態において、入力部１３は、各ガスタービンの起動順序または停止順序と、起動操作後または停止操作後に運転状態にあるガスタービンの目標個数とを受け付ける。
【０１４４】
制御部１４は、入力部１３が受け付けた起動順序または停止順序と、起動操作後また記停止操作後に運転状態にあるガスタービンの目標個数とに応じて、ガスタービンの運転を制御する運転制御信号をガスタービン毎に生成する。
【０１４５】
制御部１４は、運転制御信号を、対応するガスタービン制御装置であって運転制御信号に応じた制御内容でガスタービンの起動または停止を実行するガスタービン制御装置２へ入出力部１１から送信させる。
【０１４６】
これにより、ガスタービン制御装置２は、制御対象のガスタービン３を、当該ガスタービン３の起動順序と起動操作後に運転状態にあるガスタービン３の目標個数とに応じた制御内容で、起動させることができる。同様に、ガスタービン制御装置２は、制御対象のガスタービン３を、当該ガスタービン３の停止順序と停止操作後に運転状態にあるガスタービン３の目標個数とに応じた制御内容で、停止させることができる。
【０１４７】
このため、操作者は、各ガスタービン３の起動順序または停止順序と、起動操作後または停止操作後に運転状態にあるガスタービン３の目標個数とを指定するだけで、各ガスタービンの起動または停止を適切に実行することができる。
【０１４８】
従って、多軸型コンバインドサイクル発電プラントにおいて、ガスタービン３の起動制御または停止制御を簡易化することができる。
【０１４９】
（第２の実施形態）
続いて、第２の実施形態について説明する。第１の実施形態では、制御装置が各ガスタービン制御装置へ直接、運転制御信号を送信した。それに対し、第２の実施形態では、制御装置がまず、統括制御装置へ運転制御信号を送信し、統括制御装置が該当するガスタービン制御装置へ、運転制御信号を送信する。
【０１５０】
図１５は、第２の実施形態における多軸型コンバインドサイクル発電プラントの構成を示す図である。なお、図１と共通する要素には同一の符号を付し、その具体的な説明を省略する。第２の実施形態における多軸型コンバインドサイクル発電プラントの構成は、第１の実施形態における多軸型コンバインドサイクル発電プラントの構成に対して、制御装置１が制御装置１ｂに変更され、統括制御装置９が追加された構成になっている。
【０１５１】
制御装置１ｂは、統括制御装置９と接続され、統括制御装置９を介して複数のガスタービン制御装置２を制御する。
【０１５２】
統括制御装置９は、複数のガスタービン制御装置２を統括して制御する。
【０１５３】
続いて、第２の実施形態における制御装置１ｂの構成について説明する。第２の実施形態における制御装置１ｂの構成は、第１の実施形態における制御装置１の構成に対して、入出力部１１が入出力部１１ｂに、制御部１４が制御部１４ｂに変更されたものになっている。
【０１５４】
入出力部（出力部）１１ｂは、統括制御装置９と接続されている。
【０１５５】
制御部１４ｂは、操作者の指示に応じて、ガスタービンの起動または停止を制御するための処理を実行する。また、制御部１４ｂは、運転制御信号を、対応するガスタービン制御装置へこの運転制御信号を送信する統括制御装置９へ入出力部１１ｂから送信させる。
【０１５６】
ここで第２の実施形態における制御部１４ｂの構成は、第１の実施形態における制御部１４の構成に対して、自動化処理部１４４が自動化処理部１４４ｂに変更されたものになっている。
【０１５７】
自動化処理部１４４ｂは、起動指令または停止指令と、ＰＴＮ番号を示す運転制御信号と、対象ユニット識別信号とを、入出力部１１ｂから統括制御装置９に出力する。ここで、対象ユニット識別信号は、起動または停止の対象となるガスタービンを識別する信号である。本実施形態では、一例として、対象ユニット識別信号は、起動または停止の対象となるガスタービンを識別する対象ユニット番号を示す。
【０１５８】
これにより、統括制御装置９は、対象ユニット識別信号によって特定される対象ユニット番号に対応するガスタービン制御装置へ、受信した起動指令または停止指令と、受信した運転制御信号とを送信することができる。続いて、図１６を用いて、統括制御装置９の構成を説明する。図１６は、第２の実施形態における統括制御装置９の構成を示す図である。図１６に示すように、統括制御装置９は、入出力部９１、記憶部９２、ＲＡＭ９３、ＣＰＵ９４を備える。
【０１５９】
入出力部９１は、ガスタービン３の起動または停止を指令する制御装置１ｂと、複数のガスタービン制御装置２とに接続されている。入出力部９１は、制御装置１ｂからガスタービン３の起動または停止の指令と、運転制御信号と、対象ユニット識別信号とを受信する。
【０１６０】
記憶部９２は、各種のプログラムが格納されている。
【０１６１】
ＲＡＭ９３は、データを一次記憶する。
【０１６２】
ＣＰＵ９４は、記憶部９２からプログラムをＲＡＭ９３に読み出して実行することにより、制御部９４１として機能する。
【０１６３】
制御部９４１は、入出力部９１と接続されている。制御部９４１は、入出力部９１が運転制御信号を制御装置１ｂから受信した場合、この運転制御信号とともに受信した対象ユニット識別信号によって特定されるガスタービン制御装置２へ、運転制御信号を入出力部９１から出力させる。
【０１６４】
これにより、この運転制御信号を受信したガスタービン制御装置２は、受信した運転制御信号に応じた制御内容でガスタービン３の起動または停止を実行する。
【０１６５】
以上のような構成を有する第２の実施形態における多軸型コンバインドサイクル発電プラントの起動時の動作について、図１７を用いて説明する。なお、停止時の動作は、起動時の動作と同様であるので、その説明を省略する。
【０１６６】
図１７は、第２の実施形態におけるプラント起動時の処理の一例を示すフローチャートである。
【０１６７】
（ステップＳ３０１）まず、入力部１３は、操作者から、プラント起動操作時の属性の入力を受け付ける。
【０１６８】
（ステップＳ３０２）次に、制御部１４ｂは、入力部１３が受け付けた操作種別とコンポとオーダを用いて、ＰＴＮ番号を決定する。
【０１６９】
（ステップＳ３０３）次に、制御部１４ｂは、入力部１３が受け付けた、並列目標時刻を用いて、起動目標時刻までの運転スケジュールを計算する。
【０１７０】
（ステップＳ３０４）次に、制御部１４ｂは、起動対象のガスタービンの起動時刻より規定時間だけ前の時刻になったか否か判定する。起動対象のガスタービンの起動時刻より規定時間だけ前の時刻になっていない場合、制御部１４ｂはそのまま待機する。
【０１７１】
（ステップＳ３０５）ステップＳ１０４において、起動対象のガスタービンの起動時刻より規定時間だけ前の時刻になったと判定された場合、制御部１４ｂは、起動対象のガスタービンの起動を促す情報を情報提示部１２に提示する。
【０１７２】
（ステップＳ３０６）次に、制御部１４ｂは、入力部１３が起動対象のガスタービンの起動指示を受け付けたか否か判定する。入力部１３が起動対象のガスタービンの起動指示を受け付けていない場合、制御部１４ｂはそのまま待機する。
【０１７３】
（ステップＳ３０７）ステップＳ１０７において、入力部１３が起動対象のガスタービンの起動指示を受け付けたと判定された場合、制御部１４ｂは、ＰＴＮ番号を示す運転制御信号と、起動指令と、対象ユニット識別信号とを、統括制御装置９へ送信する。
【０１７４】
（ステップＳ３０８）次に、制御部１４ｂは、後ほど起動するガスタービンがあるか否か判定する。後ほど起動するガスタービンがある場合、制御部１４ｂは、後ほど起動するガスタービンを起動対象のガスタービンとして、ステップＳ３０４の処理を実行する。
【０１７５】
（ステップＳ４０１）次に、統括制御装置９は、運転制御信号と、起動指令と、対象ユニット識別信号とを受信する。
【０１７６】
（ステップＳ４０２）次に、統括制御装置９は、受信した対象ユニット識別信号によって特定されたガスタービン制御装置２へ、運転制御信号と起動指令を送信する。
【０１７７】
（ステップＳ５０１）次に、対象ユニット識別信号によって特定されたガスタービン制御装置２は、運転制御信号と起動指令を受信する。
【０１７８】
（ステップＳ５０２）次に、対象ユニット識別信号によって特定されたガスタービン制御装置２は、受信した運転制御信号に応じた制御内容で、ガスタービンの起動を実行する。
【０１７９】
以上説明したように、第２の実施形態において、入力部１３は、起動順序または停止順序と、起動操作後または停止操作後に運転状態にあるガスタービンの目標個数とを受け付ける。
【０１８０】
制御部１４ｂは、入力部１３が受け付けた起動順序または停止順序と、起動操作後または停止操作後に運転状態にあるガスタービンの目標個数とに応じて、運転制御信号をガスタービン毎に生成する。
【０１８１】
制御部１４ｂは、この運転制御信号を入出力部１１ｂから統括制御装置９へ出力させる。この運転制御信号が入力された統括制御装置９は、対応するガスタービン制御装置へ運転制御信号を出力する。そして、この運転制御信号が入力されたガスタービン制御装置２は、統括制御装置９から受信した運転制御信号に応じた制御内容でガスタービンの起動または停止を実行する。
【０１８２】
これにより、第１の実施形態の効果に加えて、第２の実施形態における制御装置１４ｂが中央給電指令所にある場合、中央給電指令所から直接、ガスタービンの起動または停止を制御することができる。
【０１８３】
なお、各実施形態の制御装置（１、１ｂ）、ガスタービン制御装置２、または統括制御装置９の各処理を実行するためのプログラムをコンピュータ読み取り可能な記録媒体に記録して、当該記録媒体に記録されたプログラムをコンピュータシステムに読み込ませ、プロセッサが実行することにより、各実施形態の制御装置（１、１ｂ）、ガスタービン制御装置２、または統括制御装置９に係る上述した種々の処理を行ってもよい。
【０１８４】
以上、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。更に、異なる実施形態にわたる構成要素を適宜組み合わせてもよい。
【符号の説明】
【０１８５】
１、１ｂ、１００  制御装置
１１、１１ｂ  入出力部（出力部）
１２  情報提示部
１３  入力部
１４、１４ｂ  制御部
１４１  対話処理部
１４２  ＰＴＮ番号採番処理部
１４３  スケジュール計算処理部
１４４、１４４ｂ  自動化処理部
１５  スケジュールデータ部
２−１  第１のガスタービン制御装置（＃１ＧＴ制御装置）
２−２  第２のガスタービン制御装置（＃２ＧＴ制御装置）
２−３  第３のガスタービン制御装置（＃３ＧＴ制御装置）
２１  入出力部
２２  記憶部
２３  ＲＡＭ
２４  ＣＰＵ
２４１  制御部
２５  出力部
３−１  第１のガスタービン（ＧＴ（Ａ））
３−２  第２のガスタービン（ＧＴ（Ｂ））
３−３  第３のガスタービン（ＧＴ（Ｃ））
４−１、４−２、４−３  発電機
５−１  第１の排熱回収ボイラ（ＨＲＳＧ（Ａ））
５−２  第２の排熱回収ボイラ（ＨＲＳＧ（Ｂ））
５−３  第３の排熱回収ボイラ（ＨＲＳＧ（Ｃ））
６  蒸気タービン制御装置（ＳＴ制御装置）
７  蒸気タービン（ＳＴ）
８  発電機
１０１  入出力部
１０２  情報提示部
１０３  入力部
１０４  制御部
１０４１  対話処理部
１０４２  スケジュール計算処理部
１０４３  自動化処理部
１０５  スケジュールデータ部
１２０  ガスタービン制御部（ＧＴ制御部）
１３０  ガスタービン（ＧＴ）
１４０  排熱回収ボイラ（ＨＲＳＧ）
１５０  蒸気タービン（ＳＴ）
１６０  発電機
２５１  スケジュール計算メニュー表示部
２５２  起動スケジュール設定画面表示部
２５３  起動スケジュール属性設定部
２５４  起動スケジュール属性通知部
２５５  停止スケジュール設定画面表示部
２５６  停止スケジュール属性設定部
２５７  停止スケジュール属性通知部
３０１  属性入力部
３０２  起動ＰＴＮ番号作成部
３０３  起動ＰＴＮ番号判定部
３０４  起動ＰＴＮ番号通知部
３０５  起動ＰＴＮ番号判定条件情報記憶部
３０６  停止ＰＴＮ番号作成部
３０７  停止ＰＴＮ番号判定部
３０８  停止ＰＴＮ番号通知部
３０９  停止ＰＴＮ番号判定条件情報記憶部
３１０  ＰＴＮ番号異常通知部
４０１  属性記憶部
４０２  起動スケジュール設定画面記憶部
４０３  停止スケジュール設定画面記憶部
９  統括制御装置
９１  入出力部
９２  記憶部
９３  ＲＡＭ
９４  ＣＰＵ
９４１  制御部
９０１  起動ＰＴＮ番号判定式
９０２  停止ＰＴＮ番号判定式
１１０１  起動スケジュール設定画面
１１０２  停止スケジュール設定画面
【図１】
2015227633.tif 000003
【図２】
2015227633.tif 000004
【図３】
2015227633.tif 000005
【図４】
2015227633.tif 000006
【図５】
2015227633.tif 000007
【図６】
2015227633.tif 000008
【図７】
2015227633.tif 000009
【図８】
2015227633.tif 000010
【図９】
2015227633.tif 000011
【図１０】
2015227633.tif 000012
【図１１】
2015227633.tif 000013
【図１２】
2015227633.tif 000014
【図１３】
2015227633.tif 000015
【図１４】
2015227633.tif 000016
【図１５】
2015227633.tif 000017
【図１６】
2015227633.tif 000018
【図１７】
2015227633.tif 000019
【図１８】
2015227633.tif 000020
【手続補正書】
【提出日】平成27年3月30日(2015.3.30)
【手続補正１】
【補正対象書類名】図面
【補正対象項目名】図８
【補正方法】変更
【補正の内容】
【図８】
2015227633.tif 000021